(57)【特許請求の範囲】
【請求項１】
正面開口部を覆うシャッター扉を備えたフィルム現像装置の明室操作箱であって、屈曲性を有し、かつ、前記正面開口部を開口する場合には前記明室操作箱の外側の形状に沿うように後方へ回り込んでスライドし、又は、閉鎖する場合には後方から回り込んで下向きにスライドして開口部を閉鎖する構造を有する前記シャッター扉と、前記シャッター扉に可撓性の操作孔枠と、前記操作孔枠に嵌め込まれた腕カバーとを備えてなることを特徴とするフィルム現像装置の明室操作箱。
【請求項２】
前記操作孔枠が連続した面を持つ操作孔外枠と、６乃至１２の分割された面を持つ操作孔内枠と、前記操作孔枠の外側にシャッター扉と嵌合される外溝と、腕カバーの保持リングが嵌合される内溝と、前記操作孔枠の外枠と内枠との間および外溝と内溝との間が肉厚の薄い円環部とから構成されることを特徴とする請求項１記載のフィルム現像装置の明室操作箱。
【請求項３】
前記操作孔枠が可撓性材料であるゴムまたはプラスチック材料から構成されていることを特徴とする請求項１または２記載のフィルム現像装置の明室操作箱。
【発明の詳細な説明】
【０００１】
【発明の属する技術分野】
本発明は、フィルム現像装置の明室操作箱の改善に関するものである。
【０００２】
【従来の技術】
このフィルム現像装置は感光フィルムを連続的に現像処理する装置で、本出願人は過去に感光フィルム等シート状材料を水平に直線移送されながら、現像、定着、洗浄の各液体流路を通過することで現像処理される装置を発明、考案し（特開昭５６−１２５７４０号参照、実開平３−５１５４号参照）、また本出願人は明室処理用暗箱内に装着されたフィルム現像装置であって、大径ローラと複数小径ローラから成る現像ローラ機構を有する装置を発明した。（特願２００２−２１６０９８）これらのフィルム現像装置を使用する場合に、感光済みフィルムを装置に装入して現像処理を行う時には、フィルムの光線によるカブリを防止するために暗箱内で操作が行われるのが通常であり、しかも、明室で処理するためには腕カバー付きの操作孔が装着された明室処理用操作箱が用いられている。（図６及び図７参照）これらの明室処理用操作箱において感光済みフィルムをカセットから取り出してフィルム現像部に装入する場合には、感光済みフィルムの光線カブリを防止するために図６又は図７に示す明室操作箱の上カバー又は操作扉を閉じて暗箱状態にして、かつ、操作者が両方の操作孔の腕カバーを通して両手を入れてカセットから感光済みフィルムを取り出して装入する等の操作を行う必要がある。
【０００３】
【発明が解決しようとする課題】
しかる後、現像、定着、洗浄の終わったフィルムを明室操作箱の外に取り出す場合に、図６に示す明室操作箱の場合には、腕カバー付操作孔が装着されている明室操作箱の覆い上カバーを上に持ち上げて外すか、または、図７に示す明室操作箱の場合には、腕カバー付操作孔が装着されている明室操作箱の正面操作扉を上に持ち上げて、その開口部からフィルムを外に取り出す必要がある。すなわち、感光済みフィルムのフィルム現像装置への装入、次いで現像処理済みフィルムの明室操作箱外への取り出しの都度、操作孔の装着された前記上カバーを取り付け取り外し又は前記操作扉を開けたり閉めたりする煩雑さを要し、しかも上カバーを上に持ち上げて取り外すには又は操作扉を上に持ち上げて開けるためには上部空間の余裕が必然的に必要となる。フィルム現像装置は漸次小型化されていく傾向の中で、明室操作箱そのものが上部の余裕空間を必要とし、かつ、小型化、コンパクト化から取り残され、操作の煩雑さから解放されていなかった。
【０００４】
本発明は上記の問題点を解消するためになしたものであって、その目的は、明室操作箱の上部空間の余裕を必要とせず、しかも、フィルム現像装置へフィルムを装入及び取り出すことが容易に行える操作孔付きシャッター扉を有するフィルム現像装置の明室操作箱を提供するものである。
【０００５】
【課題を解決するための手段】
上記の目的を達成するために、本発明（請求項１）に係るフィルム現像装置の明室操作箱は、正面開口部を覆うシャッター扉を備えたフィルム現像装置の明室操作箱であって、屈曲性を有し、かつ、前記正面開口部を開口する場合には前記明室操作箱の外側の形状に沿うように後方へ回り込んでスライドし、又は、閉鎖する場合には後方から回り込んで下向きにスライドして開口部を閉鎖する構造を有する前記シャッター扉と、前記シャッター扉に可撓性の操作孔枠と、前記操作孔枠に嵌め込まれた腕カバーとを備えてなることを特徴とする。本発明（請求項２）に係るフィルム現像装置の明室操作箱は、前記操作孔枠が連続した面を持つ操作孔外枠と、６乃至１２の分割された面を持つ操作孔内枠と、前記操作孔枠の外側にシャッター扉と嵌合される外溝と、腕カバーの保持リングが嵌合される内溝と、操作孔枠の外枠と内枠との間および外溝と内溝との間が肉厚の薄い円環部とから構成されることを特徴とする。本発明（請求項３）に係るフィルム現像装置の明室操作箱は、前記操作孔枠が可撓性材料であるゴムまたはプラスチック材料から構成されていることを特徴とする。
【０００６】
本発明はかかる構成を有するから、シャッター扉を上方から水平にスライドして開口する場合に、シャッター扉に装着されている操作孔が可撓性を持っているので、シャッター扉のスライド操作が容易に、円滑に行うことができる。すなわち、操作孔枠は可撓性材料から製作されていることと、操作孔外枠と内枠との間及び操作孔枠の外溝と内溝との間の円環部の肉厚が薄いから操作孔枠があらゆる方向に対して変形が容易となって、操作孔枠の可撓性をより大きくすることができる。また、腕カバーは柔軟な織物生地から成り、かつ、保持リングを介して操作孔枠の内溝に嵌合するから、操作孔枠共々可撓性を担保することができる。
【０００７】
シャッター扉を閉鎖した時、外光に対面する操作孔外枠は連続した面を有し、かつ、外溝にシャッター扉の開口部端が嵌合するので、操作孔枠の遮光能力を十分に発揮することができる。また、腕カバーは黒色の二重の織物生地から成り、腕カバーの布地を外方向に拡張するためのＯリング状保持リングが嵌め込まれ、該保持リングが操作孔枠の内溝に嵌合されるから、腕カバーの一部が円形状二重生地幕を形成して、前記円形状二重生地幕が操作孔枠の内側の開口部を完全に塞ぐように構成される。しかも、両端を絞り込んでいるから、腕カバーその物も十分遮光性があり、操作者の手が腕カバー内を通って明室操作箱に入っても遮光性を十分に維持することができる。操作孔枠の内枠は間隔溝により６乃至１２に分割された枠部を形成するから、操作孔枠の可撓性を担保すると共に、シャッター扉の開口部への嵌め込み又は取り外しの作業が容易に行うことができる。
【０００８】
【発明の実施の形態】
以下、本発明の実施形態を図面に基づいて説明する。図１は、本発明に係るフィルム現像装置１３の明室操作箱１の斜視図であり、図２はフィルム現像装置１３の明室操作箱１のシャッター扉２を開けた状態の斜視図である。明室操作箱１は左右の側壁と背面壁（図示されていない）とシャッター扉２に囲われた直方体の箱で、箱内下部にフィルム現像装置１３を擁している。前記シャッター扉２は明室操作箱１の正面と上部面と背面の一部の開口部を覆うもので、側壁のガイド溝に嵌められてシャッター扉２がスライドする公知の構造である。また、前記シャッター扉２は明室操作箱１を閉じた場合に外光が内部に洩れない構造になっている。図１に示すように、シャッター扉２が閉ざされて暗箱状態の時に、シャッター扉２の正面の２箇所に、同一高さで、若干の間隔を取って操作孔５が装着される。
【０００９】
前記操作孔５は円環状の操作孔枠３と腕カバー４とから構成される。操作孔枠３は可撓性のある材料で、ゴム又はプラスチック材料を用いて一体成型で形成される。操作孔枠３は平面視で円環を成し、円環の内径が操作者の手が自由に入る大きさとなる。因みに、操作孔枠３の寸法は外径１８ｃｍ、枠幅３ｃｍ枠厚さ２．５ｃｍ程度である。明室操作箱１の表側にくる円環の表面、すなわち操作孔外枠３ａは連続した面であるのに対し、背面である操作孔内枠３ｂは間隔溝３ｃにより６〜１２面に分割された枠部から構成される。分割の数は操作孔枠３があらゆる方向に対して屈曲させる力に柔軟に対応できる可撓性が要求される点から６〜１２分割が良く、８分割が機能、製作面でより好ましい。また、操作孔枠３をシャッター扉２の開口部端部２ａに嵌め込んで装着するが、この際操作孔内枠３ｂが間隔溝３ｃを介して分割されているので、シャッター扉２への嵌め込み装着が容易となる。
【００１０】
図５（ｃ）に示すように、操作孔枠３の円環の断面をほぼ二分する位置に外溝６が形成され、更に、図５（ｄ）、（ｅ）に示すように、内側には内溝９と内溝９が内枠端部８と繋がる内スリット１０が形成される。操作孔枠３の外溝６には図４（ｂ）に示すように、シャッター扉２に形成された円形の操作孔５用の開口部端部２ａが嵌め込まれる。図４（ｂ）に示すように、内溝９は腕カバー４を操作孔枠３に装着するための溝である。腕カバー４の操作箱内側よりで全長１／５〜１／６の位置に、腕カバー４の布地を外方向に拡張するためのＯリング状保持リング１２が嵌め込まれて腕カバー４の一部が円形状二重生地幕４ｂを形成する。前記円形状二重生地幕４ｂが操作孔枠３の内側の開口部を塞ぐように構成される。前記Ｏ型の保持リング１２は金属製の断面がコイル状のＯリングでも良く、或いは、角又は円形の断面を有する弾力性材料のゴム又はプラスチック製のＯリングでも良い。腕カバー４内に装着された前記Ｏリングは操作孔枠３の断面が角又は円形の内溝９に確実に嵌め込まれるとともに、腕カバー４の生地が二重に重ねた状態で内スリット１０に引き込まれるので、腕カバー４と操作孔５との間は外光に対して完全に遮光できる。また、このような構造を構成しているので、シャッター扉２がスライドした時に、操作孔枠３に屈曲に伴う変形が生じても操作孔枠３を通して外光が入ってくることは皆無である。操作孔枠３の断面視で外枠３ａと内枠３ｂとは、図５の（ｄ）及び（ｅ）に示すように外溝６と内溝９との間に構成される肉厚の薄い円環部１１を介して繋がった形状に成っている。この円環部１１は操作孔外枠３ａと操作孔内枠３ｂとに繋がる狭隘部であって、操作孔枠３のあらゆる方向の可撓性を担保する。
【００１１】
腕カバー４は筒状の二重の織物生地から成り、その両端に紐通し部４ａを縫製して、この中に伸縮性の紐、例えばゴム紐を通して腕カバー４の径を絞り込む。また、腕カバー４の操作箱内に入る端部から全長の１／５〜１／６の位置に保持リング１２を嵌め込み易く、かつ、保持リング１２を外縁部の内芯として二重生地幕４ｂを形成しやすくするために、二箇所で前記同様な紐通し部４ａを縫製して、伸縮性の紐を通して径を絞り込む。腕カバー４に用いられる生地は伸縮性に富む織り生地が望ましい。また、伸縮性の紐もゴム紐が望ましい。腕カバー４の色は光線カブリを防止する目的から光が反射又は透過し難い黒色が好ましく、また、腕カバー４の生地質も光線カブリを防止する目的から光が反射又は透過し難い生地が好ましい。
【００１２】
フィルム現像装置１３の明室操作箱１の作用を説明すると、シャッター扉２を上方から水平にスライドさせて開口した後（図２参照）、感光済みフィルム１４が装填されたフィルムカセットを明室操作箱１内部に取り込んでからシャッター扉２を引き下ろして明室操作箱１を暗室状態にする（図１参照）。シャッター扉２を上方から水平にスライドして開口する場合に、シャッター扉２に装着されている操作孔５が可撓性を持っているので、シャッター扉２の操作が容易に、円滑に行うことができる。すなわち、操作孔枠３は可撓性材料から製作されていることと、操作孔外枠３ａと内枠との間及び操作孔枠３の外溝６と内溝９との間の円環部１１の肉厚が薄いから操作孔枠３があらゆる方向に対して変形が容易であるので、操作孔枠３の可撓性をより大きくすることができる。また、腕カバー４は柔軟な織物生地から成り、かつ、保持リング１２を介して操作孔枠３の内溝９に嵌合するから、操作孔枠３共々可撓性を担保することができる。次に、操作者が両手をシャッター扉２に装着されている二つの操作孔５の腕カバー４を通して明室操作箱１内に突っ込み、明室操作箱１内にあるフィルムカセットから感光済みフィルム１４を取り出してフィルム現像装置１３の装入部に装入する。  シャッター扉２を閉鎖した時、外光に対面する操作孔外枠３ａは連続した面を有し、かつ、外溝６にシャッター扉２の開口部端が嵌合するので、操作孔枠３の遮光能力を十分に発揮することができる。また、腕カバー４も黒色の二重の織物生地から成り、腕カバー４の布地を外方向に拡張するためのＯリング状保持リング１２が嵌め込まれ、該保持リング１２が操作孔枠３の内溝９に嵌合されるから、腕カバー４の一部が円形状二重生地幕４ｂを形成し、前記円形状二重生地幕４ｂが操作孔枠３の内側の開口部を完全に塞ぐことができる。しかも、両端を絞り込んでいるから、腕カバー４その物も十分遮光性があり、操作者の手が腕カバー４内を通って明室操作箱内へ入っても遮光性を十分に維持することができる。フィルム現像装置１３により装入された感光済みフィルム１４が現像及び定着が終了すれば光線カブリの恐れがなくなるので、シャッター扉２を再度上方から水平にスライドさせて開口し、現像済みフィルムを容易に明室操作箱１外へ取り出すことができる。また、腕カバー４は織布製であるから、修繕、取替等の保守が必要であるが、この場合、操作孔枠３の内枠は間隔溝３ｃにより６乃至１２に分割された枠部を形成するから、シャッター扉２の開口部への嵌め込み又は取り外しの作業が容易に行え、かつ、腕カバー４の保守も容易に実施できる。
【００１３】
【発明の効果】
以上説明したように、本発明に係るフィルム現像装置の明室操作箱によれば、感光済みフィルムが装填されたフィルムカセットの明室操作箱内への取り込み、および、現像済みフィルムの明室操作箱外への取り出し操作が、シャッター扉を上方から水平にスライドさせることにより簡易に開口させることができる。また、シャッター扉に装着された操作孔は可撓性の操作孔枠と織物生地の腕カバーから構成されているので、シャッター扉のスライド操作で生ずる屈曲に対し円滑に、確実に対応することができる。また、前述の構成によりシャッター扉を閉じたときに、明室操作箱内は完全な暗室状態にすることができる。したがって、本発明に係るフィルム現像装置の明室操作箱によれば、従来の明室操作箱のように覆い上カバーを上に持ち上げて取り外す必要がなく、または、正面操作扉を上方へ持ち上げて開口部を作る必要がないので、明室操作箱の上部空間の余裕を必要としないから部屋を有効に使用でき、かつ、フィルム現像操作が簡易で、無駄な労力を必要とせず、しかも、コンパクトな明室操作箱を提供することができる等の効果がある。
【図面の簡単な説明】
【図１】本発明に係るフィルム現像装置の明室操作箱の斜視図である。
【図２】本発明に係るフィルム現像装置の明室操作箱のシャッター扉を開けた状態の斜視図である。
【図３】本発明に係るフィルム現像装置の明室操作箱の断面図の一例である。
【図４】本発明に係るフィルム現像装置の明室操作箱において、操作孔枠に腕カバーを取り付けた状態を示す斜視図（ａ）であり、断面図（ｂ）である。
【図５】本発明に係るフィルム現像装置の明室操作箱において、操作孔枠の斜視図（ａ）、背面図（ｂ）、側面図（ｃ）、Ａ−Ａ断面図（ｄ）、Ｂ−Ｂ断面図（ｅ）である。
【図６】従来のフィルム現像装置の明室操作箱における覆い上カバー取り外し方式の一例の斜視図である。
【図７】従来のフィルム現像装置の明室操作箱における正面操作扉を上方に持ち上げる方式の一例の斜視図である。
【符号の説明】
１：明室操作箱          ２：シャッター扉        ２ａ：開口部端部
３：操作孔枠            ３ａ：操作孔外枠        ３ｂ：操作孔内枠
３ｃ：間隔溝            ４：腕カバー            ４ａ：紐通し部
４ｂ：二重生地幕        ５：操作孔              ６：外溝
７：外枠端部            ８：内枠端部            ９：内溝
１０：内スリット        １１：円環部            １２：保持リング
１３：フィルム現像装置  １４：フィルム
【図１】
0003586458.tif 000002
【図２】
0003586458.tif 000003
【図３】
0003586458.tif 000004
【図４】
0003586458.tif 000005
【図５】
0003586458.tif 000006
【図６】
0003586458.tif 000007
【図７】
0003586458.tif 000008